(57)【要約】【課題】読取条件を自動的に判別・設定でき、読取条件が随時変更可能であり、結果として読取り時間を大幅に短縮することのできる、画像読取装置、画像読取処理装置、画像読取方法、およびプログラムを提供することを課題とする。【解決手段】本発明は、読取条件設定シートの画像を読取り、読取られた上記読取条件設定シートの画像から読取条件を判別し、判別された上記読取条件に従って上記ＡＤＦ型画像読取部による原稿の読取条件を設定し、設定された上記読取条件に従って上記ＡＤＦ型画像読取部を制御して上記原稿の画像を読取ることを特徴とする。【選択図】        図４
2009027370.tif 000002
【特許請求の範囲】
【請求項１】
ＦＢ型画像読取部とＡＤＦ型画像読取部と記憶部と制御部を少なくとも備えた画像読取装置であって、
上記制御部は、
上記ＦＢ型画像読取部を制御して読取条件設定シートの画像を読取り上記記憶部に格納するＦＢ読取制御手段と、
上記ＦＢ読取制御手段により読取られた上記読取条件設定シートの画像から読取条件を判別する読取条件判別手段と、
上記読取条件判別手段により判別された上記読取条件に従って上記ＡＤＦ型画像読取部による原稿の読取条件を設定する読取条件設定手段と、
上記読取条件設定手段により設定された上記読取条件に従って上記ＡＤＦ型画像読取部を制御して上記原稿の画像を読取り、上記記憶部に格納するＡＤＦ読取制御手段と、
を備えたことを特徴とする、画像読取装置。
【請求項２】
請求項１に記載の画像読取装置において、
上記制御部は、
上記ＡＤＦ読取制御手段により読取られた上記原稿の画像の画像処理を行い上記記憶部に格納する画像処理手段
を更に備え、
上記画像処理手段により上記原稿の画像の画像処理を実行中に、上記ＡＤＦ読取制御手段により上記ＡＤＦ型画像読取部を制御して次の上記原稿の画像を読取り、上記記憶部に格納することを特徴とする、画像読取装置。
【請求項３】
請求項１に記載の画像読取装置において、
上記制御部は、
上記ＦＢ型画像読取部のカバーの開閉状態を検知するＦＢカバー開閉状態検知手段
を更に備え、
上記ＦＢカバー開閉検知手段により上記カバーが開いている状態が検知された場合、上記ＡＤＦ読取制御手段は、上記原稿の読取りを一旦停止し、その後、上記ＦＢカバー開閉状態検知手段により当該カバーが閉まっている状態が検知された場合、上記ＦＢ読取制御手段は、上記ＦＢ型画像読取部にて上記読取条件設定シートを読取り、上記読取条件判別手段は、当該読取条件設定シートの読取条件を判別し、上記読取条件設定手段は、判別された上記読取条件に従って読取条件を設定し、上記ＡＤＦ読取制御手段は、設定された上記読取条件に従って上記原稿の読取りを再開することを特徴とする、画像読取装置。
【請求項４】
請求項１〜３のいずれか一つに記載の画像読取装置において、上記読取条件設定シートに記載された上記読取条件は、ＯＣＲ認識、パターン認識により上記読取条件判別手段によって判別されることを特徴とする、画像読取装置。
【請求項５】
請求項１〜３のいずれか一つに記載の画像読取装置において、上記読取条件は、読取モード設定、解像度、モノクロ／カラー設定、またはモノクロ画像処理設定のうち少なくとも１つに関する条件であることを特徴とする、画像読取装置。
【請求項６】
請求項１〜３のいずれか一つに記載の画像読取装置において、上記読取条件設定シートの形態は、シート状または冊子状であること特徴とする、画像読取装置。
【請求項７】
ＦＢ型画像読取部とＡＤＦ型画像読取部を少なくとも備えた画像読取装置に接続された、少なくとも記憶部と制御部を備えた画像読取処理装置であって、
上記制御部は、
上記ＦＢ型画像読取部を制御して読取条件設定シートの画像を読取り上記記憶部に格納するＦＢ読取制御手段と、
上記ＦＢ読取制御手段により読取られた上記読取条件設定シートの画像から読取条件を判別する読取条件判別手段と、
上記読取条件判別手段により判別された上記読取条件に従って上記ＡＤＦ型画像読取部による原稿の読取条件を設定する読取条件設定手段と、
上記読取条件設定手段により設定された上記読取条件に従って上記ＡＤＦ型画像読取部を制御して上記原稿の画像を読取り、上記記憶部に格納するＡＤＦ読取制御手段と、
を備えたことを特徴とする、画像読取処理装置。
【請求項８】
請求項７に記載の画像読取処理装置において、
上記制御部は、
上記ＡＤＦ読取制御手段により読取られた上記原稿の画像の画像処理を行い上記記憶部に格納する画像処理手段
を更に備え、
上記画像処理手段により上記原稿の画像の画像処理を実行中に、上記ＡＤＦ読取制御手段により上記ＡＤＦ型画像読取部を制御して次の上記原稿の画像を読取り、上記記憶部に格納することを特徴とする、画像読取処理装置。
【請求項９】
請求項７に記載の画像読取処理装置において、
上記制御部は、
上記ＦＢ型画像読取部のカバーの開閉状態を検知するＦＢカバー開閉状態検知手段
を更に備え、
上記ＦＢカバー開閉検知手段により上記カバーが開いている状態が検知された場合、上記ＡＤＦ読取制御手段は、上記原稿の読取りを一旦停止し、その後、上記ＦＢカバー開閉状態検知手段により当該カバーが閉まっている状態が検知された場合、上記ＦＢ読取制御手段は、上記ＦＢ型画像読取部にて上記読取条件設定シートを読取り、上記読取条件判別手段は、当該読取条件設定シートの読取条件を判別し、上記読取条件設定手段は、判別された上記読取条件に従って読取条件を設定し、上記ＡＤＦ読取制御手段は、設定された上記読取条件に従って上記原稿の読取りを再開することを特徴とする、画像読取処理装置。
【請求項１０】
ＦＢ型画像読取部とＡＤＦ型画像読取部と記憶部と制御部を少なくとも備えた画像読取装置において実行される画像読取方法であって、
上記制御部において実行される、
上記ＦＢ型画像読取部を制御して読取条件設定シートの画像を読取り上記記憶部に格納するＦＢ読取制御ステップと、
上記ＦＢ読取制御ステップにて読取られた上記読取条件設定シートの画像から読取条件を判別する読取条件判別ステップと、
上記読取条件判別ステップにて判別された上記読取条件に従って上記ＡＤＦ型画像読取部による原稿の読取条件を設定する読取条件設定ステップと、
上記読取条件設定ステップにて設定された上記読取条件に従って上記ＡＤＦ型画像読取部を制御して上記原稿の画像を読取り、上記記憶部に格納するＡＤＦ読取制御ステップと、
を含むことを特徴とする、画像読取方法。
【請求項１１】
請求項１０に記載の画像読取方法において、
上記制御部において実行される、
上記ＡＤＦ読取制御ステップにて読取られた上記原稿の画像の画像処理を行い上記記憶部に格納する画像処理ステップ
を更に含み、
上記画像処理ステップにて上記原稿の画像の画像処理を実行中に、上記ＡＤＦ読取制御ステップは上記ＡＤＦ型画像読取部を制御して次の上記原稿の画像を読取り、上記記憶部に格納することを特徴とする、画像読取方法。
【請求項１２】
請求項１０に記載の画像読取方法において、
上記制御部において実行される、
上記ＦＢ型画像読取部のカバーの開閉状態を検知するＦＢカバー開閉状態検知ステップ
を更に含み、
上記ＦＢカバー開閉検知ステップにおいて上記カバーが開いている状態が検知された場合、上記ＡＤＦ読取制御ステップは、上記原稿の読取りを一旦停止し、その後、上記ＦＢカバー開閉状態検知ステップにおいて当該カバーが閉まっている状態が検知された場合、上記ＦＢ読取制御ステップは、上記ＦＢ型画像読取部にて上記読取条件設定シートを読取り、上記読取条件判別ステップは、当該読取条件設定シートの読取条件を判別し、上記読取条件設定ステップは、判別された上記読取条件に従って読取条件を設定し、上記ＡＤＦ読取制御ステップは、設定された上記読取条件に従って上記原稿の読取りを再開することを特徴とする、画像読取方法。
【請求項１３】
ＦＢ型画像読取部とＡＤＦ型画像読取部と記憶部と制御部を少なくとも備えた画像読取装置に実行させるためのプログラムであって、
上記制御部において実行される、
上記ＦＢ型画像読取部を制御して読取条件設定シートの画像を読取り上記記憶部に格納するＦＢ読取制御ステップと、
上記ＦＢ読取制御ステップにて読取られた上記読取条件設定シートの画像から読取条件を判別する読取条件判別ステップと、
上記読取条件判別ステップにて判別された上記読取条件に従って上記ＡＤＦ型画像読取部による原稿の読取条件を設定する読取条件設定ステップと、
上記読取条件設定ステップにて設定された上記読取条件に従って上記ＡＤＦ型画像読取部を制御して上記原稿の画像を読取り、上記記憶部に格納するＡＤＦ読取制御ステップと、
を含むことを特徴とする、プログラム。
【発明の詳細な説明】
【技術分野】
【０００１】
本発明は、画像読取装置、画像読取処理装置、画像読取方法、およびプログラムに関し、特に、自動給紙型読取機構（ＡＤＦ：Ａｕｔｏ  Ｄｏｃｕｍｅｎｔ  Ｆｅｅｄｅｒ）とフラットベッド（ＦＢ：Ｆｌａｔ  Ｂｅｄ）型画像読取機構とを備える画像読取装置、当該画像読取装置を制御する画像読取処理装置、当該画像読取装置において実行される画像読取方法、およびプログラムに関する。
【背景技術】
【０００２】
イメージスキャナ、複写機、ファクシミリ、文字認識装置などに適用される従来の画像読取装置として、例えば、本や雑誌など媒体を原稿台の上に配置して、媒体に対してラインイメージセンサを移動させることで当該媒体の画像情報を読み取るフラットベッド型画像読取機構（以下、「ＦＢ型画像読取部」と呼ぶ）を備えた画像読取装置と、積層されたシート状の媒体を連続的に給紙し、固定されたラインイメージセンサに対して媒体を移動させることで当該媒体の画像情報を読み取る自動給紙型読取機構（以下、「ＡＤＦ型画像読取部」と呼ぶ）とを備えた画像読取装置とがある。フラットベッド型の画像読取装置は、原稿台上に媒体を配置し、原稿台に対して開閉自在に設けられる原稿押さえカバーによって媒体を覆って画像を読み取ることから、本や雑誌などのように比較的厚みのある媒体を読み取ることができる。一方、ＡＤＦ型の画像読取装置は、積層された媒体を１枚ずつ分離して連続的に自動給紙して、画像の読み取り処理を行うことができることから、大量のシート状の媒体を自動的に搬送して読み取ることができる。また、このようなＡＤＦ型の画像読取装置は、複数サイズの媒体に対応できるものもある。
【０００３】
ここで、特許文献１の画像データ蓄積方式は、複数のデータを蓄積手段に蓄積する場合に、データが変わるごとにファイル名の指定を行う必要があったため、読取る原稿の最初の用紙にデータの格納先を指示するマークシートを用いて、当該マークシートを読取ることで２枚目以降の原稿の画像データを当該格納先に格納するようにしたものである。
【０００４】
また、特許文献２のスキャナ装置は、従来のマークシート等の専用原稿から読取り設定を行うスキャナ装置では、高解像度での読取りや原稿前面を読む必要はない場合でも高解像度で全面の読取りを行い無駄な読取り時間がかかっていたため、スキャナ装置に専用原稿読取モードの設定キー等を設け、専用原稿読取モードの場合は、所定の解像度、所定の画像処理、所定の範囲だけを読取るようにして、専用原稿の読取時間を短縮したものである。
【０００５】
【特許文献１】特開昭６３−２８４９６６号公報
【特許文献２】特開２００２−３５４２１２号公報
【発明の開示】
【発明が解決しようとする課題】
【０００６】
しかしながら、従来のイメージスキャナ等の画像読取装置においては、読取原稿の種類によって、読取解像度や各種設定パラメータをその都度、設定する必要があった。一方、読取条件を固定にした場合は、設定作業が不要である反面、読取原稿の種類に応じた所望の画像が得られない場合があるという問題点を有している。
【０００７】
特に、特許文献２の方法では、読取条件を記載した専用原稿を最初の一枚目で読取らせることで２枚目以降の原稿の読取条件設定作業が不要となるが、ＡＤＦ型画像読取部のみで構成された画像読取装置であるため、一旦読取条件が設定された後は、原稿の読取が終了するまで読取条件を変更できず、複数の原稿を読み込む際は、読取原稿の種類に応じた所望の画像が得られないおそれがあった。
【０００８】
本発明は、上記に鑑みてなされたものである。本発明において、読取条件を自動的に判別・設定でき、読取条件が随時変更可能であり、結果として読取り時間を大幅に短縮することのできる、画像読取装置、画像読取処理装置、画像読取方法、およびプログラムを提供することを目的とする。
【課題を解決するための手段】
【０００９】
このような目的を達成するため、請求項１に記載の画像読取装置は、ＦＢ型画像読取部とＡＤＦ型画像読取部と記憶部と制御部を少なくとも備えた画像読取装置であって、上記制御部は、上記ＦＢ型画像読取部を制御して読取条件設定シートの画像を読取り上記記憶部に格納するＦＢ読取制御手段と、上記ＦＢ読取制御手段により読取られた上記読取条件設定シートの画像から読取条件を判別する読取条件判別手段と、上記読取条件判別手段により判別された上記読取条件に従って上記ＡＤＦ型画像読取部による原稿の読取条件を設定する読取条件設定手段と、上記読取条件設定手段により設定された上記読取条件に従って上記ＡＤＦ型画像読取部を制御して上記原稿の画像を読取り、上記記憶部に格納するＡＤＦ読取制御手段と、を備えたことを特徴とする。
【００１０】
また、請求項２に記載の画像読取装置は、請求項１に記載の画像読取装置において、上記制御部は、上記ＡＤＦ読取制御手段により読取られた上記原稿の画像の画像処理を行い上記記憶部に格納する画像処理手段を更に備え、上記画像処理手段により上記原稿の画像の画像処理を実行中に、上記ＡＤＦ読取制御手段により上記ＡＤＦ型画像読取部を制御して次の上記原稿の画像を読取り、上記記憶部に格納することを特徴とする。
を特徴とする。
【００１１】
また、請求項３に記載の画像読取装置は、請求項１に記載の画像読取装置において、上記制御部は、上記ＦＢ型画像読取部のカバーの開閉状態を検知するＦＢカバー開閉状態検知手段を更に備え、上記ＦＢカバー開閉検知手段により上記カバーが開いている状態が検知された場合、上記ＡＤＦ読取制御手段は、上記原稿の読取りを一旦停止し、その後、上記ＦＢカバー開閉状態検知手段により当該カバーが閉まっている状態が検知された場合、上記ＦＢ読取制御手段は、上記ＦＢ型画像読取部にて上記読取条件設定シートを読取り、上記読取条件判別手段は、当該読取条件設定シートの読取条件を判別し、上記読取条件設定手段は、判別された上記読取条件に従って読取条件を設定し、上記ＡＤＦ読取制御手段は、設定された上記読取条件に従って上記原稿の読取りを再開することを特徴とする。
【００１２】
また、請求項４に記載の画像読取装置は、請求項１〜３のいずれか一つに記載の画像読取装置において、上記読取条件設定シートに記載された上記読取条件は、ＯＣＲ認識、パターン認識により上記読取条件判別手段によって判別されることを特徴とする。
【００１３】
また、請求項５に記載の画像読取装置は、請求項１〜３のいずれか一つに記載の画像読取装置において、上記読取条件は、読取モード設定、解像度、モノクロ／カラー設定、またはモノクロ画像処理設定のうち少なくとも１つに関する条件であることを特徴とする。
【００１４】
また、請求項６に記載の画像読取装置は、請求項１〜３のいずれか一つに記載の画像読取装置において、上記読取条件設定シートの形態は、シート状または冊子状であること特徴とする。
【００１５】
また、請求項７に記載の画像読取処理装置は、ＦＢ型画像読取部とＡＤＦ型画像読取部を少なくとも備えた画像読取装置に接続された、少なくとも記憶部と制御部を備えた画像読取処理装置であって、上記制御部は、上記ＦＢ型画像読取部を制御して読取条件設定シートの画像を読取り上記記憶部に格納するＦＢ読取制御手段と、上記ＦＢ読取制御手段により読取られた上記読取条件設定シートの画像から読取条件を判別する読取条件判別手段と、上記読取条件判別手段により判別された上記読取条件に従って上記ＡＤＦ型画像読取部による原稿の読取条件を設定する読取条件設定手段と、上記読取条件設定手段により設定された上記読取条件に従って上記ＡＤＦ型画像読取部を制御して上記原稿の画像を読取り、上記記憶部に格納するＡＤＦ読取制御手段と、を備えたことを特徴とする。
【００１６】
また、請求項８に記載の画像読取処理装置は、請求項７に記載の画像読取処理装置において、上記制御部は、上記ＡＤＦ読取制御手段により読取られた上記原稿の画像の画像処理を行い上記記憶部に格納する画像処理手段を更に備え、上記画像処理手段により上記原稿の画像の画像処理を実行中に、上記ＡＤＦ読取制御手段により上記ＡＤＦ型画像読取部を制御して次の上記原稿の画像を読取り、上記記憶部に格納することを特徴とする。
【００１７】
また、請求項９に記載の画像読取処理装置は、請求項７に記載の画像読取処理装置において、上記制御部は、上記ＦＢ型画像読取部のカバーの開閉状態を検知するＦＢカバー開閉状態検知手段を更に備え、上記ＦＢカバー開閉検知手段により上記カバーが開いている状態が検知された場合、上記ＡＤＦ読取制御手段は、上記原稿の読取りを一旦停止し、その後、上記ＦＢカバー開閉状態検知手段により当該カバーが閉まっている状態が検知された場合、上記ＦＢ読取制御手段は、上記ＦＢ型画像読取部にて上記読取条件設定シートを読取り、上記読取条件判別手段は、当該読取条件設定シートの読取条件を判別し、上記読取条件設定手段は、判別された上記読取条件に従って読取条件を設定し、上記ＡＤＦ読取制御手段は、設定された上記読取条件に従って上記原稿の読取りを再開することを特徴とする。
【００１８】
また、請求項１０に記載の画像読取方法は、ＦＢ型画像読取部とＡＤＦ型画像読取部と記憶部と制御部を少なくとも備えた画像読取装置において実行される画像読取方法であって、上記制御部において実行される、上記ＦＢ型画像読取部を制御して読取条件設定シートの画像を読取り上記記憶部に格納するＦＢ読取制御ステップと、上記ＦＢ読取制御ステップにて読取られた上記読取条件設定シートの画像から読取条件を判別する読取条件判別ステップと、上記読取条件判別ステップにて判別された上記読取条件に従って上記ＡＤＦ型画像読取部による原稿の読取条件を設定する読取条件設定ステップと、上記読取条件設定ステップにて設定された上記読取条件に従って上記ＡＤＦ型画像読取部を制御して上記原稿の画像を読取り、上記記憶部に格納するＡＤＦ読取制御ステップと、を含むことを特徴とする。
【００１９】
また、請求項１１に記載の画像読取方法は、請求項１０に記載の画像読取方法において、上記制御部において実行される、上記ＡＤＦ読取制御ステップにて読取られた上記原稿の画像の画像処理を行い上記記憶部に格納する画像処理ステップを更に含み、上記画像処理ステップにて上記原稿の画像の画像処理を実行中に、上記ＡＤＦ読取制御ステップは上記ＡＤＦ型画像読取部を制御して次の上記原稿の画像を読取り、上記記憶部に格納することを特徴とする。
【００２０】
また、請求項１２に記載の画像読取方法は、請求項１０に記載の画像読取方法において、上記制御部において実行される、上記ＦＢ型画像読取部のカバーの開閉状態を検知するＦＢカバー開閉状態検知ステップを更に含み、上記ＦＢカバー開閉検知ステップにおいて上記カバーが開いている状態が検知された場合、上記ＡＤＦ読取制御ステップは、上記原稿の読取りを一旦停止し、その後、上記ＦＢカバー開閉状態検知ステップにおいて当該カバーが閉まっている状態が検知された場合、上記ＦＢ読取制御ステップは、上記ＦＢ型画像読取部にて上記読取条件設定シートを読取り、上記読取条件判別ステップは、当該読取条件設定シートの読取条件を判別し、上記読取条件設定ステップは、判別された上記読取条件に従って読取条件を設定し、上記ＡＤＦ読取制御ステップは、設定された上記読取条件に従って上記原稿の読取りを再開することを特徴とする。
【００２１】
また、請求項１３に記載のプログラムは、ＦＢ型画像読取部とＡＤＦ型画像読取部と記憶部と制御部を少なくとも備えた画像読取装置に実行させるためのプログラムであって、上記制御部において実行される、上記ＦＢ型画像読取部を制御して読取条件設定シートの画像を読取り上記記憶部に格納するＦＢ読取制御ステップと、上記ＦＢ読取制御ステップにて読取られた上記読取条件設定シートの画像から読取条件を判別する読取条件判別ステップと、上記読取条件判別ステップにて判別された上記読取条件に従って上記ＡＤＦ型画像読取部による原稿の読取条件を設定する読取条件設定ステップと、上記読取条件設定ステップにて設定された上記読取条件に従って上記ＡＤＦ型画像読取部を制御して上記原稿の画像を読取り、上記記憶部に格納するＡＤＦ読取制御ステップと、を含むことを特徴とする。
【発明の効果】
【００２２】
この発明によれば、ＦＢ型画像読取部を制御して読取条件設定シートの画像を読取り、読取られた読取条件設定シートの画像から読取条件を判別し、判別された読取条件に従ってＡＤＦ型画像読取部による原稿の読取条件を設定し、設定された読取条件に従ってＡＤＦ型画像読取部を制御して原稿の画像を読取るので、読取原稿の種類によって、読取解像度や各種設定パラメータをその都度、設定する必要がなく、読取条件設定が容易になり、結果として原稿の読取時間を短縮できる。
【００２３】
また、この発明によれば、原稿の画像の画像処理を実行中に次の原稿の画像を読取るので、他の読取バッチ処理を並行して行うことができ、読取動作全体のスピードアップを図ることを可能にする。
【００２４】
また、この発明によれば、カバーが開いている状態が検知された場合、原稿の読取りを一旦停止し、その後、当該カバーが閉まっている状態が検知された場合、ＦＢ型画像読取部にて読取条件設定シートを読取り、当該読取条件設定シートの読取条件を判別し、判別された読取条件に従って読取条件を設定し、設定された読取条件に従って原稿の読取りを再開するので、一旦読取条件が固定された後も、原稿の読み取り中に読取条件を随時変更することが可能であり、複数の原稿を読み込む際に、読取原稿の種類に合わせて所望の画像が得ることができる。
【００２５】
また、この発明によれば、読取条件設定シートに記載された読取条件をＯＣＲ認識、パターン認識等により判別するので、読取条件を自動的に判別・設定して、読取原稿を読取ることができる。
【００２６】
また、この発明によれば、読取条件は、読取モード設定、解像度、モノクロ／カラー設定、およびモノクロ画像処理設定に関する条件等であるので、画像を読取りかつ画像処理を行う通常読取モードか、または、原稿の画像の画像処理を実行中に、次の原稿の画像を読取る高速読取モードかを選択することができ、原稿の種類に応じた適切な読取解像度、読取色、画像処理方法等を選択できるので、結果的に読取動作全体のスピードアップを図ることできる。
【００２７】
また、この発明によれば、読取条件設定シートの形態は、シート状または冊子状であるので、シート状の読取条件設定シートだけでなく、画像読取装置の冊子状のマニュアルに記載された読取条件設定シート集から原稿に種類に応じた所望の読取条件設定シートを選択し、そのページを広げてＦＢ型画像読取部から読取ることができる。
【発明を実施するための最良の形態】
【００２８】
以下に、本発明にかかる画像読取装置、画像読取処理装置、画像読取方法、およびプログラムの実施の形態を図面に基づいて詳細に説明する。なお、この実施の形態によりこの発明が限定されるものではない。
【００２９】
［本発明の概要］
以下、本発明の概要について説明し、その後、本発明の構成および処理等について詳細に説明する。
【００３０】
本発明は、概略的に、以下の基本的特徴を有する。すなわち、本発明の画像読取装置は、読取条件設定シートを読取るＦＢ型画像読取部と、原稿を読取るＡＤＦ型画像読取部と、記憶部と、制御部とを少なくとも備えて構成される。
【００３１】
まず、本発明は、ＦＢ型画像読取部を制御して読取条件設定シートの画像を読取る。
【００３２】
ここで、「読取条件設定シート」とは、ＡＤＦ型画像読取部にて読取られる原稿の読取条件を記載したシートである。また、読取条件設定シートの形態は、シート状（例えば、マークシート等）または冊子状（例えば、マニュアル等）の形態であってもよい。
【００３３】
次に、本発明は、読取られた読取条件設定シートの画像から読取条件を判別する。ここで、本発明は、読取条件設定シートに記載された読取条件を、例えば、ＯＣＲ認識、パターン認識等によって判別してもよい。
【００３４】
また、「読取条件」とは、ＡＤＦ型画像読取部にて読取られる原稿の読取条件であり、例えば、読取モード設定、解像度、モノクロ／カラー設定、またはモノクロ画像処理設定等に関する条件である。ここで、読取モード設定は、例えば、通常読取モードと、原稿の画像の画像処理を実行中に次の原稿の画像を読取る高速読取モード等である。
【００３５】
そして、本発明は、判別された読取条件に従ってＡＤＦ型画像読取部による原稿の読取条件を設定する。
【００３６】
ここで、「原稿」とは、ＡＤＦ型画像読取部にて読取られる、１枚または複数枚からなる読取媒体である。
【００３７】
そして、本発明は、設定された読取条件に従ってＡＤＦ型画像読取部を制御して原稿の画像を読取る。以上で、本発明の概要の説明を終える。
【００３８】
［本画像読取装置の構成］
まず、本画像読取装置１００の構成について説明する。図１は、本発明が適用される本画像読取装置の物理構成図である。また、図２は、本発明が適用される本画像読取装置の論理構成図であり、該構成のうち本発明に関係する部分のみを概念的に示している。
【００３９】
図１に示すように、本画像読取装置１００は、ＦＢ型画像読取部１１２とＡＤＦ型画像読取部１１４の両方を備えて構成される。
【００４０】
ここで、ＦＢ型画像読取部１１２は、例えば、本や雑誌など媒体を原稿台の上に配置して、媒体に対してラインイメージセンサを移動させることで当該媒体の画像情報を読み取るフラットベッド型画像読取機構である。ここで、ＦＢ型画像読取部１１２は、ＦＢカバー開閉検知センサを備えて構成され、ＦＢカバー開閉検知センサは、ＦＢ型画像読取部１１２のカバーの開閉を検知する、例えば、光学式センサ、感圧式センサ等である。
【００４１】
ここで、ＡＤＦ型画像読取部１１４は、積層されたシート状の媒体を連続的に給紙し、固定されたラインイメージセンサに対して媒体を移動させることで当該媒体の画像情報を読み取る自動給紙型読取機構である。
【００４２】
図２に示すように、本発明の画像読取装置１００は、概略的に、画像読取装置１００の全体を統括的に制御するＣＰＵ等の制御部１０２、ＦＢ型画像読取部１１２やＡＤＦ型画像読取部１１４に接続される入出力制御インターフェース部１０８、および、各種のデータベースやテーブルなどを格納する記憶部１０６を備えて構成されており、これら各部は任意の通信路を介して通信可能に接続されている。
【００４３】
図２において、記憶部１０６に格納される各種のデータベースやテーブルは、固定ディスク装置等のストレージ手段であり、各種処理に用いる各種のプログラムやテーブルやファイルやデータベース等を格納する。
【００４４】
これら記憶部１０６の各構成要素のうち、読取条件ファイル１０６ａは、ＦＢ型画像読取部１１２によって読取られた読取条件設定シートの画像から判別された読取条件を記憶する読取条件記憶手段である。
【００４５】
ここで、読取条件ファイル１０６ａに格納される読取条件の一例を図３を参照して説明する。図３は、本発明の読取条件設定シートの一例を示す図である。
【００４６】
図３に示すように、この読取条件ファイル１０６ａに格納される情報は、例えば、読取モード設定（図３の（１）に対応）、解像度設定（図３の（２）に対応）、モノクロ／カラー設定（図３の（３）に対応）、またはモノクロ画像処理設定（図３の（４）に対応）に関する情報等である。ここで、図３では、読取モードは通常モード、解像度は２００ｄｐｉ、モノクロ／カラー設定はモノクロ／カラー自動選択が選択されている。
【００４７】
ここで、「読取モード設定」とは、ＡＤＦ型画像読取部１１４にて原稿の画像を読取る際の読取モードの設定であり、例えば、図３の（１）に示すように、通常の読取をおこなう「通常読取モード」（図３の「設定シートに準拠」に対応）と、原稿の画像の画像処理を実行中に次の原稿の画像を読取る「高速読取モード」等である。
【００４８】
ここで、「解像度設定」とは、原稿の画像を読取る際の解像度の設定であり、例えば、図３の（２）に示すように、３００ｄｐｉ、２００ｄｐｉ、１５０ｄｐｉ、または任意の解像度を設定することができる。
【００４９】
ここで、「モノクロ／カラー設定」とは、読取った原稿の画像の色を選択する設定であり、例えば、図３の（３）に示すように、例えば、モノクロ、グレー、赤、緑、青等を選択するか、または、自動選択を設定することができる。
【００５０】
ここで、「モノクロ画像処理設定」とは、モノクロ／カラー設定で、モノクロを選択した場合の画像処理設定であり、例えば、図３の（４）に示すように、例えば、誤差拡散処理、ディザ処理、２値化処理等を選択することができる。
【００５１】
再び図２の説明に戻り、読取画像ファイル１０６ｂは、読取条件に従ってＡＤＦ型画像読取部１１４にて読取られた原稿の画像を記憶する読取画像記憶手段である。ここで、読取画像ファイル１０６ｂは、画像処理された画像処理後の画像データを記憶してもよい。
【００５２】
また、図２において、入出力制御インターフェース部１０８は、ＦＢカバー開閉検知センサ１１６を備えるＦＢ型画像読取部１１２や、ＡＤＦ型画像読取部１１４の制御を行う。
【００５３】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、ＦＢ読取制御部１０２ａ、読取条件判別部１０２ｂ、読取条件設定部１０２ｃ、ＡＤＦ読取制御部１０２ｄ、画像処理部１０２ｅ、ＦＢカバー開閉検知部１０２ｆを備えて構成されている。
【００５４】
このうち、ＦＢ読取制御部１０２ａは、入出力制御インターフェース部１０８を介してＦＢ型画像読取部１１２を制御して読取条件設定シートの画像を読取るＦＢ読取制御手段である。
【００５５】
また、読取条件判別部１０２ｂは、ＦＢ読取制御部１０２ａにより読取られた読取条件設定シートの画像から読取条件を判別する読取条件判別手段である。
【００５６】
また、読取条件設定部１０２ｃは、読取条件判別部１０２ｂにより判別された読取条件を読取条件ファイル１０６ａに格納することによりＡＤＦ型画像読取部１１４による原稿の読取条件を設定する読取条件設定手段である。
【００５７】
また、ＡＤＦ読取制御部１０２ｄは、読取条件設定部１０２ｃにより読取条件ファイル１０６ａに設定された読取条件に従って、入出力制御インターフェース部１０８を介してＡＤＦ型画像読取部１１４を制御して原稿の画像を読取り、読取画像ファイル１０６ｂに画像データとして格納するＡＤＦ読取制御手段である。
【００５８】
また、画像処理部１０２ｅは、ＡＤＦ読取制御部１０２ｄにより読取られ、読取画像ファイル１０６ｂに格納された画像データに対し、読取条件ファイル１０６ａに設定された読取条件に従って、例えば、誤差拡散処理、ディザ処理、自動２値化処理等の画像処理を行い読取画像ファイル１０６ｂに格納する画像処理手段である。
【００５９】
また、ＦＢカバー開閉検知部１０２ｆは、ＦＢカバー開閉検知センサ１１６を制御してＦＢ型画像読取部１１２のカバーの開閉状態を検知するＦＢカバー開閉状態検知手段である。以上で、本画像読取装置の構成の説明を終える。
【００６０】
［本画像読取装置の処理］
次に、このように構成された本実施の形態における本画像読取装置１００の処理の一例について、以下に図４〜図６を参照して詳細に説明する。
【００６１】
［基本動作］
最初に、本発明の基本動作の処理を図４を参照して説明する。図４は、本実施形態の基本動作を示すフローチャートである。
【００６２】
まず、画像読取装置１００が起動すると（ステップＳＡ−１）、ＦＢ読取制御部１０２ａは、入出力制御インターフェース部１０８を介してＦＢ型画像読取部１１２を制御して読取条件設定シートから画像を読取る（ステップＳＡ−２）。ここで、読取条件設定シートは、ＦＢ型画像読取部に配置されている。
【００６３】
さらに、読取条件判別部１０２ｂは、ＦＢ読取制御部１０２ａによって読取られた読取条件設定シートの画像を解析し読取条件を判別し（ステップＳＡ−３）、読取条件判別部１０２ｂによって判別された読取条件として読取パラメータを決定する（ステップＳＡ−４）。すなわち、読取条件判別部１０２ｂは、読取条件設定シートの画像に基づいて、例えば、ＯＣＲ認識、パターン認識等を実行することにより読取条件設定シートに記載された読取条件を判別し、読取パラメータを決定する。
【００６４】
そして、読取条件設定部１０２ｃは、読取条件判別部１０２ｂによって決定された読取パラメータに従って、ＡＤＦ型画像読取部１１４による原稿の読取条件を設定する（ステップＳＡ−５）。
【００６５】
そして、ＡＤＦ読取制御部１０２ｄは、読取条件設定部１０２ｃによって設定された読取条件に従って、入出力制御インターフェース部１０８を介してＡＤＦ型画像読取部１１４を制御して原稿から画像を読取る（ステップＳＡ−６）。
【００６６】
ここで、画像処理部１０２ｅは、ＡＤＦ読取制御部１０２ｄによって読取られた原稿の画像に対し、例えば、誤差拡散処理、ディザ処理、自動２値化処理等の画像処理を行ってもよい。
【００６７】
以上により、画像読取装置１００が、ＦＢ型画像読取部１１２を制御して読取条件設定シートの画像を読取り、読取られた読取条件設定シートの画像から読取条件を判別し、判別された読取条件に従ってＡＤＦ型画像読取部１１４による原稿の読取条件を設定し、設定された読取条件に従ってＡＤＦ型画像読取部１１４を制御して原稿の画像を読取るので、読取原稿の種類によって、読取解像度や各種設定パラメータをその都度、設定する必要がなく、読取条件設定が容易になり、結果として原稿の読取時間を短縮できる。以上で、本発明の基本動作の処理の説明を終える。
【００６８】
［高速読取モード設定］
つぎに、上述のように構成された本実施の形態における本画像読取装置１００の画像読取処理において、読取条件設定シートの読取モードが高速読取モードであると判別された場合の画像読取処理について、以下に図５を参照して詳細に説明する。図５は、本実施形態の高速読取モードの動作を示すフローチャートである。ここで、図５におけるステップＳＢ−１〜ステップＳＢ−６は、図４におけるステップＳＡ−１〜ステップＳＡ−６に対応している。
【００６９】
まず、画像読取装置１００が起動すると（ステップＳＢ−１）、ＦＢ読取制御部１０２ａは、入出力制御インターフェース部１０８を介してＦＢ型画像読取部１１２を制御して読取条件設定シートから画像を読取る（ステップＳＢ−２）。ここで、読取条件設定シートは、ＦＢ型画像読取部に配置されている。
【００７０】
さらに、読取条件判別部１０２ｂは、ＦＢ読取制御部１０２ａによって読取られた読取条件設定シートの画像を解析し読取条件を判別し（ステップＳＢ−３）、読取条件判別部１０２ｂによって判別された読取条件として読取パラメータを決定する（ステップＳＢ−４）。すなわち、読取条件判別部１０２ｂは、読取条件設定シートの画像に基づいて、例えば、ＯＣＲ認識、パターン認識等を実行することにより読取条件設定シートに記載された読取モードが高速読取モードであることを判別し、読取条件を高速読取モードで行うことを決定する。
【００７１】
そして、読取条件設定部１０２ｃは、読取条件判別部１０２ｂによって決定された読取パラメータに従って、ＡＤＦ型画像読取部１１４による原稿の読取条件を設定する（ステップＳＢ−５）。すなわち、読取条件設定部１０２ｃは、原稿の画像の画像処理を実行中に次の原稿の画像を読取る高速読取モードに設定する。
【００７２】
そして、ＡＤＦ読取制御部１０２ｄは、読取条件設定部１０２ｃによって高速読取モードが設定されていると、入出力制御インターフェース部１０８を介してＡＤＦ型画像読取部１１４を制御して原稿の画像を読取り（ステップＳＢ−６）、画像処理部１０２ｅは、ＡＤＦ読取制御部１０２ｄによって読取られた原稿の画像に画像処理を実行し（ステップＳＢ−７）、画像処理部１０２ｅによって画像処理を実行中に、ＡＤＦ読取制御部１０２ｄは、ＡＤＦ型画像読取部１１４に新たにセットされた次の原稿をＡＤＦ型画像読取部１１４を制御してを読取る（ステップＳＢ−６）。すなわち、高速読取モードにおいては、ＡＤＦ読取制御部１０２ｄによる原稿の読取処理と、画像処理部１０２ｅによる原稿の画像の画像処理とを、原稿セット毎に、並行して処理を実行する。
【００７３】
以上により、本実施形態における画像読取装置１００は、判別された読取条件が高速読取モードである場合、原稿の画像の画像処理を実行中に次の原稿の画像を読取るので、他の読取バッチ処理を並行して行うことができ、読取動作全体のスピードアップを図ることを可能にする。以上で、本発明の高速読取モードの動作の説明を終える。
【００７４】
［読取条件変更処理］
次に、上述のように構成された本実施の形態における本画像読取装置１００の画像読取処理において、原稿の画像を読取中に、ＦＢ型画像読取部のカバーが開いた場合に読取処理を一旦停止し、読取条件を再設定した後に、原稿の画像読取を再開する例について、以下に図６を参照して詳細に説明する。図６は、本実施形態の読取条件変更処理の動作を示すフローチャートである。ここで、図６におけるステップＳＣ−１〜ステップＳＣ−６は、図４におけるステップＳＡ−１〜ステップＳＡ−６に対応している。
【００７５】
まず、画像読取装置１００が起動すると（ステップＳＣ−１）、ＦＢ読取制御部１０２ａは、入出力制御インターフェース部１０８を介してＦＢ型画像読取部１１２を制御して読取条件設定シートから画像を読取る（ステップＳＣ−２）。ここで、読取条件設定シートは、ＦＢ型画像読取部に配置されている。
【００７６】
さらに、読取条件判別部１０２ｂは、ＦＢ読取制御部１０２ａによって読取られた読取条件設定シートの画像を解析し読取条件を判別し（ステップＳＣ−３）、読取条件判別部１０２ｂによって判別された読取条件として読取パラメータを決定する（ステップＳＣ−４）。すなわち、読取条件判別部１０２ｂは、読取条件設定シートの画像に基づいて、例えば、ＯＣＲ認識、パターン認識等を実行することにより読取条件設定シートに記載された読取条件を判別し、読取パラメータを決定する。
【００７７】
そして、読取条件設定部１０２ｃは、読取条件判別部１０２ｂにより決定された読取パラメータに従って、ＡＤＦ型画像読取部１１４による原稿の読取条件を設定する（ステップＳＣ−５）。
【００７８】
そして、ＡＤＦ読取制御部１０２ｄは、読取条件設定部１０２ｃにより入出力制御インターフェース部１０８を介してＡＤＦ型画像読取部１１４を制御して原稿の画像を読取る（ステップＳＣ−６）。
【００７９】
ここで、画像処理部１０２ｅは、ＡＤＦ読取制御部１０２ｄにより読取られた原稿の画像に対し、例えば、誤差拡散処理、ディザ処理、自動２値化処理等の画像処理を行ってもよい。
【００８０】
そして、原稿の読取り中に、ＦＢカバー開閉検知部１０２ｆは、ＦＢ型画像読取部１１２のＦＢカバー開閉検知センサ１１６を制御してＦＢカバー（図示せず）の開閉状態を検知する（ステップＳＣ−７）。
【００８１】
ここで、ＦＢカバー開閉検知部１０２ｆによりＦＢカバーが開いている状態が検知された場合（ステップＳＣ−７：Ｙｅｓ）、ＡＤＦ読取制御部１０２ｄは、ＡＤＦ型画像読取部１１４を制御して現在読取中の原稿分のみ読取ってから、原稿の読取りを一旦停止する（ステップＳＣ−８）。
【００８２】
そして、その後、ＦＢカバー開閉検知部１０２ｆが、ＦＢカバー開閉検知センサ１１６によってＦＢ型画像読取部１１２のＦＢカバーが閉まっている状態を検知した場合、ステップＳＣ−１に戻り、ステップＳＣ−２からステップＳＣ−６までの処理を繰り返し読取条件を再設定した上で、ＡＤＦ読取制御部１０２ｅは、ＡＤＦ型画像読取部１１４を制御して、原稿の読取りを再開する（ステップＳＣ−２〜ステップＳＣ−６）。
【００８３】
ここで、ステップＳＣ−７に戻り、ＦＢカバー開閉検知部１０２ｆが、ＦＢカバー開閉検知センサ１１６によってＦＢ型画像読取部１１２のＦＢカバーが閉まっている状態を検知した場合（ステップＳＣ−７：Ｎｏ）、ＡＤＦ読取制御部１０２ｄは、ＡＤＦ型画像読取部１１４に積層された原稿の有無を確認する（ステップＳＣ−９）。
【００８４】
ここで、ＡＤＦ型画像読取部１１４に積層された原稿が有る場合（ステップＳＣ−９：有）、ステップＳＣ−６に戻り、ＡＤＦ読取制御部１０２ｄは、ＡＤＦ型画像読取部１１４を制御して、原稿の読取りを続け、ＡＤＦ読取制御部１０２ｄにより読取る原稿が無いと確認されるまで（ステップＳＣ−９：無）、上述の読取処理工程を続ける。
【００８５】
以上により、本実施形態における画像読取装置１００は、カバーが開いている状態が検知された場合、原稿の読取りを一旦停止し、その後、当該カバーが閉まっている状態が検知された場合、ＦＢ型画像読取部１１２にて読取条件設定シートを読取り、当該読取条件設定シートの読取条件を判別し、判別された読取条件に従って読取条件を設定し、設定された読取条件に従ってＡＤＦ型画像読取部１１４にて原稿の読取りを再開するので、一旦読取条件が固定された後も、原稿の読み取り中に読取条件を随時変更することが可能であり、複数の原稿を読み込む際に、読取原稿の種類に合わせて所望の画像が得ることができる。以上で、本発明の読取条件変更処置の動作の説明を終える。
【００８６】
以上で、本発明の基本動作、高速読取モード設定、読取条件変更処理を含む本画像読取装置の処理の説明を終える。
【００８７】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００８８】
特に、例えば、画像読取装置１００がＦＢ型画像読取部１１２とＡＤＦ型画像読取部１１４とを当該画像読取装置１００内に備える一体型装置の形態で処理を行う場合を一例に説明したが、ＦＢ型画像読取部１１２とＡＤＦ型画像読取部１１４とを備えた画像読取装置と、記憶部１０６と制御部１０４とを備えた画像読取処理装置とを別筐体で構成してもよい。すなわち、当該画像読取処理装置は、当該画像読取装置に接続された入出力制御インターフェース部１０８と、記憶部１０６と、制御部１０２とを備える構成であってもよい。
【００８９】
また、例えば、画像読取装置１００がスタンドアローンの形態で処理を行う場合を一例に説明したが、画像読取装置１００は、ネットワークスキャナとして構成されてもよく、通信制御インターフェースを介しネットワークを経由して画像読取装置１００とは別筐体で構成されるクライアント端末からの要求に応じて処理を行い、その処理結果を当該クライアント端末に返却するように構成してもよい。
【００９０】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。このほか、上記文献中や図面中で示した処理手順、制御手順、具体的名称、各処理の登録データや検索条件等のパラメータを含む情報、画面例、データベース構成については、特記する場合を除いて任意に変更することができる。
【００９１】
また、画像読取装置１００に関して、図示の各構成要素は機能概略的なものであり、必ずしも物理的に図示の如く構成されていることを要しない。
【００９２】
例えば、画像読取装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて画像読取装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００９３】
また、このコンピュータプログラムは、画像読取装置１００に対して任意のネットワークを介して接続されたアプリケーションプログラムサーバに記憶されていてもよく、必要に応じてその全部または一部をダウンロードすることも可能である。
【００９４】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００９５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９６】
記憶部１０６に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベース等を格納する。
【００９７】
また、画像読取装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００９８】
更に、装置の分散・統合の具体的形態は図示するものに限られず、その全部または一部を、各種の付加等に応じた任意の単位で、機能的または物理的に分散・統合して構成することができる。
【産業上の利用可能性】
【００９９】
以上詳述に説明したように、本発明によれば、連続して読取る原稿以外に「読取条件設定シート」を準備し、そのシートを読取らせることで、読取条件を自動的に判別・設定でき、読取条件が随時変更可能であり、結果として読取り時間を大幅に短縮することのできる、画像読取装置、画像読取処理装置、画像読取方法、およびプログラムを提供することができるので、情報通信分野等において利用可能である。
【図面の簡単な説明】
【０１００】
【図１】図１は、本発明が適用される本画像読取装置の物理構成図である。
【図２】図２は、本発明が適用される本画像読取装置の論理構成図である。
【図３】図３は、本発明の読取条件設定シートの一例を示す図である。
【図４】図４は、本実施形態の基本動作を示すフローチャートである。
【図５】図５は、本実施形態の高速読取モードの動作を示すフローチャートである。
【図６】図６は、本実施形態の読取条件変更処理の動作を示すフローチャートである。
【符号の説明】
【０１０１】
１００  画像読取装置
１０２  制御部
１０２ａ  ＦＢ読取制御部
１０２ｂ  読取条件判別部
１０２ｃ  読取条件設定部
１０２ｄ  ＡＤＦ読取制御部
１０２ｅ  画像処理部
１０２ｆ  ＦＢカバー開閉検知部
１０６  記憶部
１０６ａ  読取条件ファイル
１０６ｂ  読取画像ファイル
１０８  入出力制御インターフェース部
１１２  ＦＢ型画像読取部
１１４  ＡＤＦ型画像読取部
１１６  ＦＢカバー開閉検知センサ
【図１】
2009027370.tif 000003
【図２】
2009027370.tif 000004
【図３】
2009027370.tif 000005
【図４】
2009027370.tif 000006
【図５】
2009027370.tif 000007
【図６】
2009027370.tif 000008